(57)【要約】  コンパクトに構成可能でありながらアンダーカット部を容易に型抜き可能であり、成形品質を向上可能なアンダーカット処理機構、成形用金型及び成形品を提供する。  アンダーカット部Ｐ１のある成形品Ｐを成形する成形用金型１に取付けられ使用される、アンダーカット部Ｐ１を型抜き可能とするアンダーカット処理機構１０であって、成形品Ｐの型抜き方向に移動可能な押上駒３０と、押上駒３０に固定又は一体的に形成され、押上駒３０の移動時にアンダーカット部Ｐ１を支持可能なスリーブピン６０と、押上駒３０に対して摺動可能であり、押上駒３０の移動に連動して成形品Ｐの型抜き方向と交差する方向に移動する摺動駒４０と、摺動駒４０を摺動可能に保持する保持駒５０と、を備える。
2018179027.tif 000002
【特許請求の範囲】
【請求項１】
アンダーカット部のある成形品を成形する成形用金型に取付けられ使用される、前記アンダーカット部を型抜き可能とするアンダーカット処理機構であって、
前記成形品の型抜き方向に移動可能な押上駒と、
前記押上駒に固定又は一体的に形成され、前記押上駒の移動時に前記アンダーカット部を支持可能な支持手段と、
前記押上駒に対して摺動可能であり、前記押上駒の移動に連動して前記成形品の型抜き方向と交差する方向に移動する摺動駒と、
前記摺動駒を摺動可能に保持する保持駒と、
を備え、
前記押上駒を前記成形品の型抜き方向に移動させると、前記支持手段が前記アンダーカット部を支持しながら前記摺動駒が連動して移動し、前記アンダーカット部が型抜き可能となるように構成されていることを特徴とするアンダーカット処理機構。
【請求項２】
前記押上駒及び前記摺動駒は、前記アンダーカット部を成形する成形面を有していることを特徴とする請求項１に記載のアンダーカット処理機構。
【請求項３】
前記押上駒及び／又は前記摺動駒は、前記押上駒を前記成形品の型抜き方向に移動させるときに前記成形品を支持可能に構成されていることを特徴とする請求項１又は２に記載のアンダーカット処理機構。
【請求項４】
前記押上駒及び前記保持駒はそれぞれ、前記摺動駒の移動方向を前記アンダーカット部が型抜き可能となる方向に規制する規制手段を備えることを特徴とする請求項１から３のいずれか１項に記載のアンダーカット処理機構。
【請求項５】
さらに前記アンダーカット部に中空部又は空間部を有する前記成形品を成形可能に前記アンダーカット部の中空部又は空間部を成形する成形部材と、
前記成形部材に固定又は一体的に形成され、前記押上駒及び前記保持駒に対して摺動可能であり、前記押上駒を前記成形品の型抜き方向に移動させたときに前記成形部材が前記アンダーカット部の中空部又は空間部から抜けるように移動する成形部材用摺動駒と、
を備えることを特徴とする請求項１から４のいずれか１項に記載のアンダーカット処理機構。
【請求項６】
さらに前記成形用金型に固定又は一体的に形成されたホルダーを備え、
前記ホルダーは、本アンダーカット処理機構を構成する部材のうち、前記ホルダーを除く他の構成部材を型締め時に部分的に又は完全に収納可能に構成されていることを特徴とする請求項１から５のいずれか１項に記載のアンダーカット処理機構。
【請求項７】
請求項１から６のいずれか１項に記載のアンダーカット処理機構を備えることを特徴とする成形用金型。
【請求項８】
請求項１から６のいずれか１項に記載のアンダーカット処理機構、又は請求項７に記載の成形用金型で成形された成形品。
【発明の詳細な説明】
【技術分野】
【０００１】
本発明は、アンダーカット部を有する成形品を成形する成形用金型に取付けられ使用されるアンダーカット処理機構、成形用金型及び成形品に関する。
【背景技術】
【０００２】
アンダーカット部を有する成形品を成形する成形用金型において、アンダーカット部の形態に対応するかたちで多くのアンダーカット処理機構が開発されている。アンダーカット処理機構としては、例えば、ルーズコアと呼ばれるものが一般的に用いられている。【０００３】
また従来のルーズコアを用いるアンダーカット処理機構では成形が困難である成形品、例えば、成形品全体の型抜き方向と交差する方向に中空部を有するボスが突出している成形品を成形する場合に、アンダーカット部となるボスを容易に型抜き可能とするアンダーカット処理機構が本出願人により既に提案されている（例えば、特許文献１参照）。【０００４】
特許文献１に記載のアンダーカット処理機構は、成形用金型の固定型又は可動型に内設されるホルダーと、アンダーカット部を成形する成形コアとを備え、成形コアが第１コアと第２コアとからなり、第１コア及び第２コアが互いに隣接して傾斜した側面を有し、側面に沿ってホルダー内を摺動することでアンダーカット部を型抜き可能に構成されている。
【先行技術文献】
【特許文献】
【０００５】
【特許文献１】特開２０１０−１５５３８１号公報
【発明の概要】
【発明が解決しようとする課題】
【０００６】
特許文献１に記載のアンダーカット処理機構によれば、従来のルーズコアを用いるアンダーカット処理機構では成形が困難であった形状の成形品の成形が容易化されるとともに支持ロッドやガイドロッド等が不要となり、従来のルーズコアを用いるアンダーカット処理機構と比較してコンパクトに構成可能である。【０００７】
本発明は、特許文献１に記載のアンダーカット処理機構とは異なる構成において、特許文献１に記載のアンダーカット処理機構のようにアンダーカット部を有する成形品の成形の容易化、コンパクト化及び成形品質の向上を実現可能なアンダーカット処理機構、成形用金型及び成形品を提案するものである。【０００８】
本発明の目的は、コンパクトに構成可能でありながらアンダーカット部を容易に型抜き可能であり、成形品質を向上可能なアンダーカット処理機構、成形用金型及び成形品を提供することである。
【課題を解決するための手段】
【０００９】
本発明は、アンダーカット部のある成形品を成形する成形用金型に取付けられ使用される、前記アンダーカット部を型抜き可能とするアンダーカット処理機構であって、前記成形品の型抜き方向に移動可能な押上駒と、前記押上駒に固定又は一体的に形成され、前記押上駒の移動時に前記アンダーカット部を支持可能な支持手段と、前記押上駒に対して摺動可能であり、前記押上駒の移動に連動して前記成形品の型抜き方向と交差する方向に移動する摺動駒と、前記摺動駒を摺動可能に保持する保持駒と、を備え、前記押上駒を前記成形品の型抜き方向に移動させると、前記支持手段が前記アンダーカット部を支持しながら前記摺動駒が連動して移動し、前記アンダーカット部が型抜き可能となるように構成されていることを特徴とするアンダーカット処理機構である。【００１０】
また本発明のアンダーカット処理機構において、前記押上駒及び前記摺動駒は、前記アンダーカット部を成形する成形面を有していることを特徴とする。【００１１】
また本発明のアンダーカット処理機構において、前記押上駒及び／又は前記摺動駒は、前記押上駒を前記成形品の型抜き方向に移動させるときに前記成形品を支持可能に構成されていることを特徴とする。【００１２】
また本発明のアンダーカット処理機構において、前記押上駒及び前記保持駒はそれぞれ、前記摺動駒の移動方向を前記アンダーカット部が型抜き可能となる方向に規制する規制手段を備えることを特徴とする。【００１３】
また本発明のアンダーカット処理機構は、さらに前記アンダーカット部に中空部又は空間部を有する前記成形品を成形可能に前記アンダーカット部の中空部又は空間部を成形する成形部材と、前記成形部材に固定又は一体的に形成され、前記押上駒及び前記保持駒に対して摺動可能であり、前記押上駒を前記成形品の型抜き方向に移動させたときに前記成形部材が前記アンダーカット部の中空部又は空間部から抜けるように移動する成形部材用摺動駒と、を備えることを特徴とする。【００１４】
また本発明のアンダーカット処理機構は、さらに前記成形用金型に固定又は一体的に形成されたホルダーを備え、前記ホルダーは、本アンダーカット処理機構を構成する部材のうち、前記ホルダーを除く他の構成部材を型締め時に部分的に又は完全に収納可能に構成されていることを特徴とする。【００１５】
また本発明は、前記アンダーカット処理機構を備えることを特徴とする成形用金型である。【００１６】
また本発明は、前記アンダーカット処理機構、又は前記成形用金型で成形された成形品である。
【発明の効果】
【００１７】
本発明のアンダーカット処理機構及び成形用金型によれば、押上駒の成形品の型抜き方向への移動に連動してアンダーカット部が型抜き可能となるように摺動駒が移動するので、コンパクトに構成可能でありながらアンダーカット部を容易に型抜き可能となる。また押上駒及び摺動駒の移動時にアンダーカット部が支持手段によって支持されるので、アンダーカット部の損傷等を防止可能であり成形品質が向上する。
【図面の簡単な説明】
【００１８】
【図１】本発明の第１実施形態の成形用金型１の型締め時の断面図である。
【図２】図１の成形用金型１の型開き後の断面図である。
【図３】図１の成形用金型１の成形品Ｐの突き出し動作後の断面図である。
【図４】図１及び図２におけるアンダーカット処理機構１０の周辺部の拡大図である。
【図５】図３におけるアンダーカット処理機構１０の周辺部の拡大図である。
【図６】図１の成形用金型１のアンダーカット処理機構１０の斜視図である。
【図７】図１の成形用金型１のアンダーカット処理機構１０の分解斜視図である。
【図８】図１の成形用金型１のアンダーカット処理機構１０の分解斜視図である。
【図９】図１の成形用金型１の押上駒３０、摺動駒４０、保持駒５０の斜視図である。
【図１０】本発明のアンダーカット処理機構及び成形用金型で成形可能な成形品の一例を示す斜視図である。
【発明を実施するための形態】
【００１９】
図１は、本発明の第１実施形態の成形用金型１の型締め時の断面図、図２は、図１の成形用金型１の型開き後の断面図、図３は、図１の成形用金型１の成形品Ｐの突き出し動作後の断面図である。図４は、図１及び図２におけるアンダーカット処理機構１０の周辺部の拡大図、図５は、図３におけるアンダーカット処理機構１０の周辺部の拡大図である。図６は、図１の成形用金型１のアンダーカット処理機構１０の斜視図、図７、図８は、図１の成形用金型１のアンダーカット処理機構１０の分解斜視図、図９（ａ）は、図１の成形用金型１の押上駒３０、摺動駒４０、保持駒５０の斜視図、図９（ｂ）は、図９（ａ）の異なる角度から見た斜視図である。なお図１から図３では、符号を一部省略しており、図６では、ホルダー２０のみ断面を示しており、図７では、ホルダー２０を省略しており、図８では、ホルダー２０及び保持駒５０を省略している。
【００２０】
本発明の第１実施形態の成形用金型１は、成形材料を射出し成形品Ｐ（図１参照）の外面（上面）側を成形する固定型１００と、成形品Ｐのアンダーカット部Ｐ１を含む内面（下面）側を成形する可動型１０１とを備える公知の射出成形用金型と同様の構成であるが、アンダーカット処理機構１０を備える点で公知の射出成形用金型とは異なっている。なお便宜上、図１の固定型１００側を上、可動型１０１側を下として説明する。
【００２１】
本実施形態の成形用金型１は、公知の射出成形用金型と同様、固定型１００が固定側取付板１０３、固定側型板１０４、ロケートリング１０５、スプルーブッシュ１０６を備え、可動型１０１が可動側取付板１０７、可動側型板１０８、スペーサーブロック１０９、２枚のエジェクタ台板１１０、エジェクタピン１１１、リターンピン１１２、スプリング１１３、エジェクタロッド１１４を備え、成形、型開き終了後、エジェクタ台板１１０が可動側型板１０８に対して成形品Ｐの型抜き（突き出し）方向（図１の上方向）に移動することでエジェクタピン１１１によって成形品Ｐの突き出し動作を行う。なお上記の構成部品は、公知の射出成形用金型と同様であるため説明を省略する。
【００２２】
また本実施形態の成形用金型１には、アンダーカット部Ｐ１の型抜きを可能とするアンダーカット処理機構１０が可動型１０１に組込まれており、エジェクタピン１１１に加え、後述するアンダーカット処理機構１０の押上駒３０をエジェクタ台板１１０の移動に連動して成形品Ｐの型抜き方向に往復移動させる押上駒用エジェクタピン１２がエジェクタ台板１１０に立設されている。
【００２３】
アンダーカット処理機構１０は、成形品Ｐの型抜き（突き出し動作）時にアンダーカット部Ｐ１を成形用金型１から型抜き可能とするものである。本実施形態においてアンダーカット部Ｐ１は、成形品Ｐの下面から成形品Ｐの型抜き方向（図１の上方向）に対して交差する方向に突出した円筒ボスである。なお本発明のアンダーカット処理機構、成形用金型及び成形品において成形及び型抜き可能なアンダーカット部は、後述するように円筒ボスに限定されるものではない。また成形品Ｐの材料としては、プラスチック等の合成樹脂に限らず、鉄や銅、アルミニウム等の金属でも良い。
【００２４】
アンダーカット処理機構１０は、可動側型板１０８に埋設され固定されたホルダー２０と、成形品Ｐの型抜き方向に往復移動可能な押上駒３０と、押上駒３０に対して成形品Ｐの型抜き方向に直交する方向に摺動可能な摺動駒４０と、可動側型板１０８に固定され摺動駒４０を摺動可能に保持する保持駒５０と、押上駒３０に固定されアンダーカット部Ｐ１を支持する支持手段であるスリーブピン６０と、スリーブピン６０を押上駒３０に固定する第１固定ブロック６２及び第２固定ブロック６４と、アンダーカット部Ｐ１の中空部を成形する成形部材であるセンターピン７０と、センターピン７０を固定し押上駒３０及び保持駒５０に対して摺動可能な成形部材用摺動駒７２と、センターピン７０を成形部材用摺動駒７２に固定する固定ブロック７４とを備え、成形品Ｐの型抜き時に押上駒３０が成形品Ｐの型抜き方向に移動すると、これに連動して摺動駒４０及び成形部材用摺動駒７２が移動することによってアンダーカット部Ｐ１の型抜きが可能となるように構成されている。
【００２５】
ホルダー２０は、アンダーカット処理機構１０を構成する部材のうち、ホルダー２０を除く他の構成部材を型締め時に完全に収納可能であり、アンダーカット処理機構１０のユニット化を可能としアンダーカット処理機構１０の成形用金型１への設置を容易化するものである。ホルダー２０は、角筒形状であり、可動側型板１０８に形成された溝に埋設され可動側型板１０８にボルトで固定されている。なおホルダー２０は、可動側型板１０８に一体的に形成されていてもよいが、この場合には、アンダーカット処理機構１０の他の部品を順次、可動側型板１０８に組付けることになる。
【００２６】
ホルダー２０は、上面２１が成形用金型１の型締め時に可動側型板１０８の上面と面一になり成形時に成形品Ｐの下面に接する成形面となるように形成され配置されている。このためホルダー２０は、成形品Ｐの成形不良を防止すべく、型締め時にホルダー２０の上面２１と可動側型板１０８の上面との間に隙間が生じないように形成され配置されている。
【００２７】
なおホルダー２０は、角筒形状に限定されるものではなく、円筒形状や多角形断面の筒形状であってもよい。このときホルダー２０以外のアンダーカット処理機構１０の構成部材は、ホルダー２０の形状に応じて適宜、形状を変更すればよい。またホルダー２０は、複数のブロックに分割して構成されていてもよい。さらにホルダー２０は、型締め時にアンダーカット処理機構１０を構成する部材のうち、ホルダー２０を除く他の構成部材を完全に収納するものに限定されるものではなく、部分的に収納するように構成されていてもよい。
【００２８】
押上駒３０は、成形品Ｐの下面及びアンダーカット部Ｐ１を成形し、成形品Ｐの突き出し動作時にエジェクタ台板１１０に連動して成形品Ｐの型抜き方向に移動しエジェクタピン１１１と共に成形品Ｐの突き出しを行う。
【００２９】
押上駒３０は、逆Ｌ字形ブロックであり、下面に押上駒用エジェクタピン１２が固定されている。押上駒３０は、摺動駒４０全体が嵌り込むように上部３２をくり抜いて設けられた凹部３３と、凹部３３に水平に設けられ後述する摺動駒４０の凸条４２が摺動自在に嵌合することで摺動駒４０の移動方向を規制する規制手段である水平溝３４と、凹部３３の奥側の面に設けられアンダーカット部Ｐ１の外周面を成形する半円形溝形状の成形面３６と、下部３７の内側の面に設けられ後述する成形部材用摺動駒７２の第１蟻溝７８が摺動自在に係合することで成形部材用摺動駒７２の移動方向を規制する規制手段である斜条３８とを有している。
【００３０】
押上駒３０の上面３１は、成形時に成形品Ｐの下面を成形する成形面であるとともに、突き出し動作時に成形品Ｐを支持する支持面でもある。このため押上駒３０は、成形品Ｐの成形不良を防止すべく、型締め時に押上駒３０の上面３１とホルダー２０の上面２１との間に隙間が生じないように形成され配置されている。
【００３１】
摺動駒４０の移動方向を規制する規制手段は、水平に設けられた水平溝３４に限定されるものではなく、アンダーカット部Ｐ１の型抜きが可能となる位置に摺動駒４０が移動するように設けられていればよい。
【００３２】
斜条３８は、成形部材用摺動駒７２が移動することでセンターピン７０がアンダーカット部Ｐ１の中空部から抜けるように、アンダーカット部Ｐ１の中空部の中心軸線に対して平行になるように傾斜している。
【００３３】
摺動駒４０は、成形品Ｐの下面及びアンダーカット部Ｐ１を成形し、成形品Ｐの突き出し動作時にアンダーカット部Ｐ１の型抜きが可能となるように、押上駒３０に連動して押上駒３０の水平溝３４に沿って移動する。
【００３４】
摺動駒４０は、台形ブロックであり、押上駒３０の水平溝３４に摺動自在に嵌合するように両側面に設けられ摺動駒４０の移動方向を規制する規制手段である凸条４２と、押上駒３０に対向する傾斜面に設けられアンダーカット部Ｐ１の外周面を成形する半円形溝形状の成形面４４と、反対側の傾斜面に設けられ後述する保持駒５０の第１斜条５４に摺動自在に係合して摺動駒４０の移動方向を規制する規制手段である蟻溝４６とを有している。蟻溝４６の傾斜角度は、後述する保持駒５０の第１斜条５４の傾斜角度に一致する。
【００３５】
また摺動駒４０の上面４１は、成形時に成形品Ｐの下面を成形する成形面であるとともに、突き出し動作時に成形品Ｐを支持する支持面でもある。このため摺動駒４０は、成形品Ｐの成形不良を防止すべく、型締め時に摺動駒４０の上面４１と押上駒３０の上面３１及び保持駒５０の上面５１との間に隙間が生じないように形成され配置されている。
【００３６】
保持駒５０は、可動側型板１０８に固定され摺動駒４０及び成形部材用摺動駒７２を摺動自在に保持する。保持駒５０は、Ｌ字形ブロックであり、上部５２の内側の面に設けられ摺動駒４０の蟻溝４６が摺動自在に係合し摺動駒４０の移動方向を規制する規制手段である第１斜条５４と、下部５６に設けられ後述する成形部材用摺動駒７２の第２蟻溝７９が摺動自在に係合し成形部材用摺動駒７２の移動方向を規制する規制手段である第２斜条５８とを有している。
【００３７】
また保持駒５０は、上面５１が成形用金型１の型締め時にホルダー２０の上面２１と面一になり成形時に成形品Ｐの下面に接する成形面となるように形成され配置されている。このため保持駒５０は、成形品Ｐの成形不良を防止すべく、型締め時に保持駒５０の上面５１とホルダー２０の上面２１、押上駒３０の上面３１及び摺動駒４０の上面４１との間に隙間が生じないように形成され配置されている。
【００３８】
第１斜条５４は、成形品Ｐの型抜き方向に対して傾斜して設けられており、突き出し動作完了後にアンダーカット部Ｐ１が型抜き可能となる位置まで摺動駒４０が移動するように傾斜角度が決められている。なお成形品Ｐの型抜き方向に対する第１斜条５４の傾斜角度が大きい程、押上駒３０の移動量に対する摺動駒４０の移動量が大きくなる。
【００３９】
第２斜条５８は、アンダーカット部Ｐ１の中空部の中心軸線に対して直交するように傾斜している。これにより成形品Ｐの突き出しに伴い、センターピン７０がアンダーカット部Ｐ１の中空部から抜けるように成形部材用摺動駒７２が移動する。
【００４０】
スリーブピン６０は、突き出し動作時にアンダーカット部Ｐ１の端面を支持する支持手段として機能する。スリーブピン６０は、円筒部材であり、先端面６６が突き出し動作時にアンダーカット部Ｐ１の端面を支持する支持面となり、基端に固定用のフランジ部６１が形成されている。スリーブピン６０の中空部は、センターピン７０が挿通可能に形成されている。
【００４１】
スリーブピン６０は、フランジ部６１を介して第１固定ブロック６２及び第２固定ブロック６４に挟持された状態で、第２固定ブロック６４が押上駒３０にボルト６８によって固定されることで押上駒３０に固定されている。なおスリーブピン６０は、押上駒３０に一体的に形成されていてもよく、この場合には、フランジ部６１、第１固定ブロック６２、第２固定ブロック６４及びボルト６８は不要である。またスリーブピン６０、第１固定ブロック６２及び／又は第２固定ブロック６４が一体的に形成されていてもよい。
【００４２】
センターピン７０は、アンダーカット部Ｐ１の内周面及び天井面を成形する。センターピン７０は、円柱ピン部材であり、先端部がアンダーカット部Ｐ１の内周面の形状に合わせてテーパ状に形成されており、基端に固定用のフランジ部７１が形成されている。
【００４３】
センターピン７０は、フランジ部７１を介して成形部材用摺動駒７２及び固定ブロック７４に挟持された状態で、固定ブロック７４が成形部材用摺動駒７２にボルト７６によって固定されることで成形部材用摺動駒７２に固定されている。センターピン７０は、スリーブピン６０の中空部に挿通された状態で移動可能に中心軸線がアンダーカット部Ｐ１の中心軸線に一致するように成形部材用摺動駒７２に固定されている。なおセンターピン７０と成形部材用摺動駒７２とが一体的に形成されていてもよく、この場合には、フランジ部７１、固定ブロック７４及びボルト７６は不要である。
【００４４】
成形部材用摺動駒７２は、突き出し動作時に押上駒３０に連動して移動しセンターピン７０をアンダーカット部Ｐ１の中空部から引抜く方向に移動させる。なおセンターピン７０をアンダーカット部Ｐ１の中空部から引抜く方向とは、アンダーカット部Ｐ１を変形及び損傷させることなくセンターピン７０がアンダーカット部Ｐ１の中空部から外れるセンターピン７０の移動方向であり、本実施形態ではアンダーカット部Ｐ１の中空部の中心軸線に一致する、センターピン７０がアンダーカット部Ｐ１から遠ざかる方向である。
【００４５】
成形部材用摺動駒７２は、台形ブロックであり、押上駒３０に対向する一方の傾斜面に設けられ押上駒３０の斜条３８に摺動自在に係合して成形部材用摺動駒７２の移動方向を規制する規制手段である第１蟻溝７８と、下面に設けられ保持駒５０の第２斜条５８に摺動自在に係合して成形部材用摺動駒７２の移動方向を規制する規制手段である第２蟻溝７９を有している。第１蟻溝７８の傾斜角度は、押上駒３０の斜条３８の傾斜角度と一致しており、第２蟻溝７９の傾斜角度は、保持駒５０の第２斜条５８の傾斜角度と一致している。
【００４６】
次に本実施形態の成形用金型１の作用について説明する。成形品Ｐの成形時には成形用金型１を型締めした状態で固定型１００のスプルーブッシュ１０６から成形材料を射出し、成形材料を硬化させ成形品Ｐを成形する（図１、図４参照）。
【００４７】
成形時にはアンダーカット処理機構１０のホルダー２０の上面２１、押上駒３０の上面３１、摺動駒４０の上面４１及び保持駒５０の上面５１が可動側型板１０８の上面と面一になって成形品Ｐ（成形材料）に接して成形を行い、押上駒３０の成形面３６、摺動駒４０の成形面４４、スリーブピン６０の先端面６６及びセンターピン７０の外周面が成形品Ｐのアンダーカット部Ｐ１を成形する。
【００４８】
成形後、成形用金型１の型開きを行う。成形用金型１の型開き時には、可動型１０１全体が図１の状態から下方向に移動し、成形品Ｐが可動型１０１側に残る（図２参照）。成形用金型１の型開き後、成形品Ｐの突き出し動作を行う。
【００４９】
突き出し動作時には、エジェクタ台板１１０が図２の状態から上方向に移動する。アンダーカット処理機構１０は、エジェクタ台板１１０の移動に伴い、押上駒３０が押上駒用エジェクタピン１２に押込まれ、押上駒３０及び摺動駒４０が可動側型板１０８の上面から突出しエジェクタピン１１１と共に成形品Ｐを図２の状態から上方向に突き出す。
【００５０】
これと同時に、押上駒３０の水平溝３４、摺動駒４０の凸条４２及び蟻溝４６、並びに保持駒５０の第１斜条５４の作用によって、摺動駒４０が水平溝３４に沿って図２、図４の状態から左方向に移動してアンダーカット部Ｐ１から外れる（図３、図５参照）。
【００５１】
また同時に押上駒３０の斜条３８、保持駒５０の第２斜条５８、並びに成形部材用摺動駒７２の第１蟻溝７８及び第２蟻溝７９の作用によって、センターピン７０が中心軸線に沿って図２、図４の状態からアンダーカット部Ｐ１に対して左下方向に移動しアンダーカット部Ｐ１から外れる（図３、図５参照）。また突き上げ動作中、アンダーカット部Ｐ１の端面は、スリーブピン６０の先端面６６によって支持されている。
【００５２】
突き出し動作が完了すると、摺動駒４０及びセンターピン７０がアンダーカット部Ｐ１から外れ、エジェクタピン１１１、押上駒３０及び摺動駒４０によって成形品Ｐが可動側型板１０８から突き出されて取出可能な状態になる（図３、図５参照）。成形品Ｐの取出後、次の成形品Ｐを成形すべく、再度、成形用金型１の型締めが行われる。
【００５３】
型締め時には、可動型１０１全体が図３の状態から上方向に移動するとともに、エジェクタ台板１１０が図３の状態から下方向に移動する。アンダーカット処理機構１０は、エジェクタ台板１１０の移動に伴い、押上駒３０が押上駒用エジェクタピン１２によって可動側型板１０８に引込まれる。
【００５４】
これと同時に、押上駒３０の水平溝３４、摺動駒４０の凸条４２及び蟻溝４６、並びに保持駒５０の第１斜条５４の作用によって、摺動駒４０が押上駒３０の水平溝３４に沿って図３の状態から右方向に移動して押上駒３０の凹部３３に収納されるとともに、押上駒３０の斜条３８、保持駒５０の第２斜条５８、並びに成形部材用摺動駒７２の第１蟻溝７８及び第２蟻溝７９の作用によって、センターピン７０が中心軸線に沿って図３の状態から右上方向に移動し成形位置に戻る。またホルダー２０の上面２１、押上駒３０の上面３１及び摺動駒４０の上面４１が可動側型板１０８の上面と面一になる。型締めが完了すると、成形材料が射出され次の成形品Ｐが成形される。
【００５５】
以上のように、本実施形態の成形用金型１、アンダーカット処理機構１０によれば、押上駒３０の成形品Ｐの型抜き方向への移動に連動してアンダーカット部Ｐ１が型抜き可能となるように摺動駒４０及びセンターピン７０（成形部材用摺動駒７２）が移動するので、コンパクトに構成可能でありながらアンダーカット部Ｐ１を容易に型抜き可能となる。また突き出し動作時にアンダーカット部Ｐ１の端面がスリーブピン６０によって支持されるので、アンダーカット部Ｐ１の損傷等を防止可能であり成形品質が向上する。
【００５６】
また本実施形態の成形用金型１では、成形品Ｐの突き出し用にエジェクタピン１１１を用いているが、成形品Ｐにおけるアンダーカット部Ｐ１の形成位置や重量等の条件によっては押上駒３０のみで成形品Ｐの突き出しを行うことも可能であり、成形用金型１のさらなる小型化、低コスト化を図ることも可能である。
【００５７】
以上、第１実施形態の成形用金型１を用いて、本発明のアンダーカット処理機構、成形用金型及び成形品を説明したが、本発明のアンダーカット処理機構、成形用金型及び成形品は、上記実施形態に限定されるものではなく、要旨を変更しない範囲で変形して使用することができる。例えば、押上駒３０と摺動駒４０との規制手段は、蟻溝及び該蟻溝に係合する凸条であってもよい。この場合、押上駒３０に蟻溝、摺動駒４０に凸条が設けられていてもよく、押上駒３０に凸条、摺動駒４０に蟻溝が設けられていてもよい。同様に摺動駒４０と保持駒５０との規制手段は、摺動駒４０に斜条、保持駒５０に蟻溝が設けられていてもよく、押上駒３０及び保持駒５０と成形部材用摺動駒との規制手段についても同様である。
【００５８】
また本発明のアンダーカット処理機構において、水平溝３４、凸条４２、蟻溝４６、７８、７９、斜条３８、５４、５８は、嵌合部又は係合部の断面形状が図に示した矩形であるもの限定されるものではなく、嵌合部又は係合部の断面形状が円形、三角形等であるものであってもよい。また本発明のアンダーカット処理機構において、押上駒３０、摺動駒４０、保持駒５０、成形部材用摺動駒７２の規制手段は、水平溝３４、凸条４２、蟻溝４６、７８、７９、斜条３８、５４、５８に限定されるものではなく、例えば、リニアガイド等を用いてもよい。
【００５９】
また本発明の成形用金型において成形可能な成形品は、アンダーカット部が円筒ボスであるものに限定されるものではない。図１０（ａ）、図１０（ｂ）、図１０（ｃ）は、本発明のアンダーカット処理機構及び成形用金型で成形可能な成形品の一例を示す斜視図である。本発明の成形用金型のアンダーカット処理機構は、特に、第１実施形態及び図１０に示したアンダーカット部Ｐ１、Ｐ２、Ｐ３、Ｐ４のように、成形品Ｐの型抜き方向に対して直交する方向に移動する従来のルーズコアでは型抜き不可能であった、センターピン７０等の成形部材によって成形される中空部又は空間部を有し縦断面視においてアンダーカット部が突出している面に対して平行な方向に並ぶ複数の突出部を有するアンダーカット部の成形及び型抜きに好適に用いることができる。
【００６０】
また本発明の成形用金型において成形可能な成形品は、アンダーカット部が成形品の型抜き方向に対して交差する方向に突出しているものに限定されるものではない。本発明のアンダーカット処理機構は、例えば、図１０（ｃ）に示すようなアンダーカット部Ｐ４に台座部Ｐ５を有する成形品Ｐ、またはアンダーカット部Ｐ４が台座部Ｐ５のみである成形品（図示省略）等の成形においても、アンダーカット部が型抜き可能となるように押上駒の成形品の型抜き方向への移動に連動して摺動駒及び／又は成形部材用摺動駒が移動するように適宜、構成可能である。
【００６１】
また本発明の成形用金型において、複数のアンダーカット処理機構を設けることも可能である。つまり本発明のアンダーカット処理機構及び成形用金型によれば、複数の円筒ボスのようなアンダーカット部を有する成形品の成形及び型抜きを行うことも可能である。また各アンダーカット部の型抜き可能な方向が異なる場合には、各アンダーカット処理機構において、それぞれ、対応するアンダーカット部を型抜き可能に押上駒、摺動駒、保持駒、成形部材用摺動駒の規制手段の傾斜角度を適宜、設定すればよい。
【００６２】
また本発明のアンダーカット処理機構及び成形用金型において、各構成部材の角及び側稜にＲ面取りやＣ面取り等が施されていてもよい。
【００６３】
また本発明のアンダーカット処理機構及び成形用金型に使用される各構成部材の材質は、特定の材質に限定されるものではなく、公知のアンダーカット処理機構及び成形用金型に使用される部材の材質と同様のものを適宜用いればよい。ただし各構成部材における摺動面は、摺動性の良好な材質又は摺動性の良好な表面処理が施された材料を用いることが好ましい。なお各摺動面は、面接触であるものに限定されるものではなく、線接触や点接触であってもよい。
【００６４】
また本発明のアンダーカット処理機構は、水平、垂直又はその他の方向に開閉する成形用金型に適用可能である。
【００６５】
また本発明のアンダーカット処理機構及び成形用金型は、射出成形金型以外にダイカスト金型のようなモールド金型、モールドプレス成形金型などに好適に使用することができる。
【００６６】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００６７】
１  成形用金型
１０  アンダーカット処理機構
２０  ホルダー
３０  押上駒
３１  上面
３４  水平溝
３６  成形面
３８  斜条
４０  摺動駒
４１  上面
４２  凸条
４４  成形面
４６  蟻溝
５０  保持駒
５４  第１斜条
５８  第２斜条
６０  スリーブピン
６６  先端面
７０  センターピン
７２  成形部材用摺動駒
７８  第１蟻溝
７９  第２蟻溝
Ｐ  成形品
Ｐ１、Ｐ２、Ｐ３、Ｐ４  アンダーカット部
Ｐ５  台座部
【図１】
2018179027.tif 000003
【図２】
2018179027.tif 000004
【図３】
2018179027.tif 000005
【図４】
2018179027.tif 000006
【図５】
2018179027.tif 000007
【図６】
2018179027.tif 000008
【図７】
2018179027.tif 000009
【図８】
2018179027.tif 000010
【図９】
2018179027.tif 000011
【図１０】
2018179027.tif 000012
【国際調査報告】
2018179027.tif 000013
2018179027.tif 000014
2018179027.tif 000015